Podtech/llm-jp-corpus-v4-ja_patent huggingface dataset:
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
約５重量％〜８８重量％の肉の生地を含む食肉レプリカ組成物であって、前記肉の生地は、
食用の繊維状構成成分；
約５重量％〜約３５重量％の１以上の非動物脂肪；
約０．００００１重量％〜約１０重量％の矯味剤；
約０重量％〜約１５重量％の結合剤；
約０．０１重量％〜約４重量％のヘム含有タンパク質：および
約０．０００１重量％〜１０重量％のウリ属（Cucumis）液汁、ピューレ、または抽出物
を含む、前記食肉レプリカ組成物。
【請求項２】
食用の繊維状構成成分が、グルテリン、アルブミン、レグミン、ビシリン、コンビシリン、グリシニンおよびプロラミンから選ばれる１以上の植物タンパク質を含む、請求項１に記載の食肉レプリカ。
【請求項３】
食用の繊維状構成成分が、植物性タンパク質を含む、請求項１に記載の食肉レプリカ。
【請求項４】
１以上の非動物脂肪が、植物由来油、藻類油、または細菌もしくは真菌類由来の油からなる群から選択される、請求項１に記載の食肉レプリカ。
【請求項５】
植物由来油が、ヤシ油、マンゴー油、ヒマワリ油、綿実油、ベニバナ油、米糠油、カカオバター、パーム核油、ヤシの実の油、パーム油、ダイズ油、ナタネ油、カノーラ油、トウモロコシ油、ゴマ油、クルミ油、扁桃油、アマニ油、ホホバ油、ヒマシ油、グレープシード油、ラッカセイ油、オリーブ油、ルリジサ油、藻類油、真菌油、クロスグリ油、ババス油、シアバター、マンゴーバター、コムギ胚芽油、クロスグリ油、シーバックソーン油、マカダミア油、およびノコギリヤシ油からなる群から選択される、請求項４に記載の食肉レプリカ。
【請求項６】
１以上の非動物脂肪が、共役リノール酸油、アラキドン酸強化油、ドコサヘキサエン酸（ＤＨＡ）強化油およびエイコサペンタエン酸（ＥＰＡ）強化油からなる群から選択される、請求項１に記載の食肉レプリカ。
【請求項７】
１以上の非動物脂肪が、マーガリンを含む、請求項１に記載の食肉レプリカ。
【請求項８】
矯味剤が、１以上の風味付け前駆物質、調味料、または風味付け化合物を含む、請求項１に記載の食肉レプリカ。
【請求項９】
フレーバー化合物が、フェニル酢酸、（Ｅ，Ｅ）−２，４−ノナジエナール、水溶性樹脂タマネギ、油溶性タマネギ、ｐ−クレゾール、酢酸アセトニル、４−ヒドロキシ−２，５−ジメチル−３（２Ｈ）−フラノン、（Ｅ，Ｅ）−２，４−オクタジエナール、２−メチル−１−ブタンチオール、２−メチル−３−フリルテトラスルフィド、２−メルカプトプロピオン酸エチル、２−メルカプト−３−ブタノール（異性体の混合物）、ｎ−デカン−ｄ２２、油溶性ニンニク、スルフロール、酢酸スルフリル、メルカプト−３−ブタノール、スピロミート、１−ペンテン−３−オン、２−メチル−３−フランチオール、２−メチル−３−テトラヒドロフランチオール、オレイン酸、ジプロピルトリスルフィド、ジフルフリルジスルフィド、メチルシクロペンテノロン、３−メチルチオヘキサナール、酪酸、ブチロラクトン、５−メチル−２（３Ｈ）−フラノン、フラネオール、１−（１Ｈ−ピロール−２−イル）−エタノン、ヘキサン酸、およびそれらの組合せからなる群から選択される、請求項８に記載の食肉レプリカ。
【請求項１０】
結合剤が、植物タンパク質である、請求項１に記載の食肉レプリカ。
【請求項１１】
植物タンパク質が、ＲｕＢｉｓＣＯ、アルブミン、グルテン、コングリシニン、またはそれらの混合物である、請求項１０に記載の食肉レプリカ。
【請求項１２】
結合剤が、アルブミンまたはコラーゲンである、請求項１に記載の食肉レプリカ。
【請求項１３】
ヘム含有タンパク質が、非共生ヘモグロビン、ヘルズゲート（Hell's gate）グロビンＩ、フラボヘムタンパク質、レグヘモグロビン、ヘム依存性ペルオキシダーゼ、チトクロムｃペルオキシダーゼ、哺乳動物のミオグロビン、アンドログロビン、サイトグロビン、グロビンＥ、グロビンＸ、グロビンＹ、ヘモグロビン、ミオグロビン、エリトロクルオリン、βヘモグロビン、αヘモグロビン、プロトグロビン、シアノグロビン、サイトグロビン、ヒストグロビン、ニューログロビン、クロロクルオリン、切断型ヘモグロビン（例えば、ＨｂＮまたはＨｂＯ）、切断型２／２グロビン、ヘモグロビン３（例えば、Ｇｌｂ３）、チトクロム、またはペルオキシダーゼからなる群から選択される、請求項１に記載の食肉レプリカ。
【請求項１４】
ウリ属（Cucumis）液汁、ピューレ、または抽出物が、キュウリ液汁、ピューレ、または抽出物である請求項１に記載の食肉レプリカ。
【請求項１５】
ウリ属（Cucumis）液汁、ピューレ、または抽出物が、メロンウリ属液汁、ピューレ、または抽出物である請求項１に記載の食肉レプリカ。
【請求項１６】
メロンウリ属液汁、ピューレ、または抽出物が、ハネデューメロンウリ属液汁、ピューレ、または抽出物である請求項１に記載の食肉レプリカ。
【請求項１７】
メロンウリ属液汁、ピューレ、または抽出物が、カンタロープウリ属液汁、ピューレ、または抽出物である請求項１に記載の食肉レプリカ。
【請求項１８】
食品レプリカが、動物産物を含まない、請求項１に記載の食品または食品レプリカ。
【請求項１９】
ラクトンを約１０−３〜１０−１１の％濃度でさらに含む、請求項１に記載の食肉レプリカ。
【請求項２０】
ラクトンが、テトラヒドロ−６−メチル−２Ｈ−ピラン−２−オン、δ−オクタラクトン、５−エチルジヒドロ−２（３Ｈ）−フラノン、ブチロラクトン、ジヒドロ−５−ペンチル−２（３Ｈ）−フラノン、ジヒドロ−３−メチレン−２，５−フランジオン、ｌ−ペントイルラクトン、テトラヒドロ−２Ｈ−ピラン−２−オン、６−ヘプチルテトラヒドロ−２Ｈ−ピラン−２−オン、γ−オクタラクトン、５−ヒドロキシメチルジヒドロフラン−２−オン、５−エチル−２（５Ｈ）−フラノン、５−アセチルジヒドロ−２（３Ｈ）−フラノン、ｔｒａｎｓ−３−メチル−４−オクタノリド２（５Ｈ）−フラノン、３−（１，１−ジメチルエチル）−２，５−ウランジオン、３，４−ジヒドロキシ−５−メチル−ジヒドロフラン−２−オン、５−エチル−４−ヒドロキシ−２−メチル−３（２Ｈ）−フラノン、δ−テトラデカラクトン、ジヒドロ−４−ヒドロキシ−２（３Ｈ）−フラノン、５−エチル−４−ヒドロキシ−２−メチル−３（２Ｈ）−フラノン、ブチロラクトン、γ−オクタラクトン、およびδ−テトラデカラクトンからなる群から選択される、請求項１９に記載の食肉レプリカ。
【請求項２１】
約０．００００１重量％〜約０．１重量％のカロテノイドをさらに含む、請求項１に記載の食肉レプリカ。
【請求項２２】
カロテノイドが、β−カロテン、ゼアキサンチン、ルテイン、ｔｒａｎｓ−β−アポ−８’−カロテナル、リコペン、カンタキサンチン、およびそれらの組合せからなる群から選択される、請求項２１に記載の食肉レプリカ。
【手続補正書】
【提出日】平成30年3月14日(2018.3.14)
【手続補正１】
【補正対象書類名】特許請求の範囲
【補正対象項目名】請求項１４
【補正方法】変更
【補正の内容】
【請求項１４】
請求項１ないし13のいずれかに記載の方法において、前記種子は種子カートリッジにて提供されることを特徴とする方法。
【手続補正２】
【補正対象書類名】特許請求の範囲
【補正対象項目名】請求項１５
【補正方法】変更
【補正の内容】
【請求項１５】
請求項１ないし14のいずれかに記載の方法において、前記種子または生育させる植物は潮の干満現象によって潅水されることを特徴とする方法。
【手続補正３】
【補正対象書類名】特許請求の範囲
【補正対象項目名】請求項１６
【補正方法】変更
【補正の内容】
【請求項１６】
請求項１ないし15のいずれかに記載の方法において、前記種子または生育させる植物は空中栽培方式で潅水されることを特徴とする方法。
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
血液癌を患う被験体が、ＢＴＫ阻害剤による治療に対する反応をあまり示さない、或いは反応をあまり示さなくなる可能性があるかどうかを評価する方法であって、該方法は：
ａ．被験体からの、ＰＬＣγ２ポリペプチドをコード化する核酸分子を包含するサンプルを試験する工程；
ｂ．コード化されたＰＬＣγ２ポリペプチドが、ＳＥＱ  ＩＤ  ＮＯ：２において述べられたアミノ酸配列のアミノ酸位置７４２、８４５、又は１１４０に対応するアミノ酸位置で修飾されるかどうかを判定する工程；及び
ｃ．被験体がアミノ酸位置７４２、８４５、又は１１４０において修飾を有する場合に、ＢＴＫ阻害剤による治療に耐性があるもの、又は耐性を持つようになる可能性があるものとして、被験体を特徴付ける工程
を含む方法。
【請求項２】
被験体は、血液癌の処置のためにＢＴＫ阻害剤を投与される、ことを特徴とする請求項１に記載の方法。
【請求項３】
修飾は、ＰＬＣγ２ポリペプチドにおけるアミノ酸位置７４２、８４５、又は１１４０において、アミノ酸の置換、付加、又は欠失を含む、ことを特徴とする請求項１又は２に記載の方法。
【請求項４】
修飾は：
ａ．ＰＬＣγ２ポリペプチドのアミノ酸位置７４２における、ロイシン、システイン、イソロイシン、バリン、アラニン、グリシン、メチオニン、セリン、トレオニン、フェニルアラニン、トリプトファン、リジン、アルギニン、ヒスチジン、プロリン、チロシン、グルタミン、アスパラギン酸、及びグルタミン酸の中から選択されたアミノ酸への、アスパラギンの置換；
ｂ．ＰＬＣγ２ポリペプチドのアミノ酸位置８４５における、システイン、イソロイシン、バリン、アラニン、グリシン、メチオニン、セリン、トレオニン、フェニルアラニン、トリプトファン、リジン、アルギニン、ヒスチジン、プロリン、チロシン、アスパラギン、グルタミン、アスパラギン酸、及びグルタミン酸の中から選択されたアミノ酸への、ロイシンの置換；及び
ｃ．ＰＬＣγ２ポリペプチドのアミノ酸位置１１４０における、ロイシン、システイン、イソロイシン、バリン、アラニン、グリシン、メチオニン、セリン、トレオニン、フェニルアラニン、トリプトファン、リジン、アルギニン、ヒスチジン、プロリン、チロシン、アスパラギン、グルタミン、アスパラギン酸、及びグルタミン酸の中から選択されたアミノ酸への、アスパラギン酸の置換
である、ことを特徴とする請求項１に記載の方法。
【請求項５】
ＰＬＣγ２ポリペプチドにおける修飾は、Ｒ７４２Ｐ、Ｌ８４５Ｆ、及びＤ１１４０Ｇの中から選択される、ことを特徴とする請求項３又は４に記載の方法。
【請求項６】
修飾されるＰＬＣγ２ポリペプチドをコード化する核酸は、ＳＥＱ  ＩＤ  ＮＯ：１において述べられるヌクレオチドの配列における核酸位置２５３５に対応する核酸位置において、アデニンのチミジンへの変異を有する、ことを特徴とする請求項１又は２に記載の方法。
【請求項７】
ＰＬＣγ２ポリペプチドは付加的なアミノ酸位置において修飾を更に含む、ことを特徴とする請求項１乃至６の何れか１つに記載の方法。
【請求項８】
被験体が、ＰＬＣγ２ポリペプチドにおけるアミノ酸位置７４２、８４５、又は１１４０において少なくとも１つの修飾と共に１以上の修飾を有する場合、ＢＴＫ阻害剤による処置を中止する工程を更に含む、請求項１乃至７の何れか１つに記載の方法。
【請求項９】
被験体が、ＰＬＣγ２ポリペプチドにおけるアミノ酸位置７４２、８４５、又は１１４０において少なくとも１つの修飾と共に１以上の修飾を有する場合、ＰＬＣγ２の阻害剤を投与する工程を更に含む、請求項１乃至８の何れか１つに記載の方法。
【請求項１０】
被験体は高リスクの細胞遺伝学的特徴を持つ、ことを特徴とする請求項１乃至９の何れか１つに記載の方法。
【請求項１１】
高リスクの細胞遺伝学的特徴は、ｄｅｌ（１１ｑ２２．３）、ｄｅｌ（１７ｐ１３．１）、又は複雑な核型を含む、ことを特徴とする請求項１０に記載の方法。
【請求項１２】
ＰＬＣγ２ポリペプチド及び付加的なポリペプチドをコード化する核酸分子を包含するサンプルを試験する工程、及び、付加的なポリペプチドが変異を含んでいるかどうかを判定する工程を更に含む、請求項１乃至１１の何れか１つに記載の方法。
【請求項１３】
付加的なポリペプチドはＢＴＫポリペプチドである、ことを特徴とする請求項１２に記載の方法。
【請求項１４】
試験する工程は、等温増幅又はポリメラーゼ連鎖反応（ＰＣＲ）により行われる、ことを特徴とする請求項１２又は１３に記載の方法。
【請求項１５】
ＢＴＫ阻害剤はイブルチニブである、ことを特徴と請求項１乃至１４の何れか１つに記載の方法。
【請求項１６】
血液癌はＢ細胞悪性腫瘍である、ことを特徴とする請求項１乃至１５の何れか１つに記載の方法。
【請求項１７】
Ｂ細胞悪性腫瘍は、慢性リンパ球性白血病（ＣＬＬ）、小リンパ球性リンパ腫（ＳＬＬ）、びまん性大細胞型Ｂ細胞リンパ腫（ＤＬＢＣＬ）、活性化Ｂ細胞びまん性大細胞型Ｂ細胞リンパ腫（ＡＢＣ−ＤＬＢＣＬ）、胚中心びまん性大細胞型Ｂ細胞リンパ腫（ＧＣＢ  ＤＬＢＣＬ）、二重適合びまん性大細胞型Ｂ細胞リンパ腫（ＤＨ−ＤＬＢＣＬ）、縦隔原発Ｂ細胞リンパ腫（ＰＭＢＬ）、非ホジキンリンパ腫、バーキットリンパ腫、濾胞性リンパ腫、免疫芽細胞性大細胞型リンパ腫、前駆Ｂリンパ芽球性リンパ腫、前駆Ｂ細胞急性リンパ芽球性白血病、有毛細胞白血病、マントル細胞リンパ腫、Ｂ細胞前リンパ球性白血病、リンパ形質細胞性リンパ腫／ワルデンシュトレームマクログロブリン血症、脾臓周辺帯リンパ腫、形質細胞性骨髄腫、形質細胞腫、結節外辺縁帯Ｂ細胞リンパ腫、結節性辺縁帯Ｂ細胞リンパ腫、縦隔（胸腺）大細胞型Ｂ細胞リンパ腫、血管内大細胞型Ｂ細胞リンパ腫、原発性体腔性リンパ腫、又はリンパ腫様肉芽腫症である、ことを特徴とする請求項１６に記載の方法。
【請求項１８】
被験体における不可逆ＢＴＫ阻害剤による阻害に対する耐性を付与する、修飾されたＰＬＣγ２を検出するシステムであって、該システムは：
ａ．被験体からの、ＰＬＣγ２ポリペプチドをコード化する核酸分子を包含するサンプル；及び
ｂ．ＳＥＱ  ＩＤ  ＮＯ：２において述べられたアミノ酸配列のアミノ酸位置７４２、８４５、又は１１４０に対応するアミノ酸位置で修飾される、修飾されたＰＬＣγ２ポリペプチド又はその一部をコード化する核酸を含むマイクロアレイ
を含むシステム。
【請求項１９】
マイクロアレイは、付加的なアミノ酸位置で修飾される、修飾されたＰＬＣγ２ポリペプチド又はその一部をコード化する核酸を更に含む、ことを特徴とする請求項１８に記載のシステム。
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
ポンプ(3)とコントロールユニット(4)とを備えたポンプユニット(2)、及びポンプユニット(2)に接続されたポンプチューブ(5)を含む、手術室において使用するためのポンプデバイスにおいて、
前記ポンプユニット(2)は、前記ポンプユニット(2)の作動状態を表示するために、前記コントロールユニット(4)によって作動可能な光源(7)を含み、前記ポンプチューブ(5)は、前記ポンプチューブ(5)に沿って延びる光ファイバー(8)を有し、
前記光ファイバー(8)の第１の端部(9)は、前記作動可能な光源(7)からの光を連結するために設けられたことを特徴とする、ポンプデバイス。
【請求項２】
前記光源(7)は、可視範囲の外側の光を放射するように構成され、好ましくは紫外線を出力するように構成され、そして、好ましくは第２の端部で、光源(7)からの放射を可視光に変換するための変換エレメントが設けられていることを特徴とする、請求項１に記載のデバイス。
【請求項３】
前記光ファイバー(8)は、その第１の端部(9)と第２の端部(10)との間の光出口のための１つ以上のきず(11)を有し、前記きず(11)が、光ファイバー(8)の外側の切り込みであることを特徴とする、請求項１又は２に記載のデバイス。
【請求項４】
互いに隣接する２つのきず(11)の間の距離は、それぞれの場合において、前記光ファイバー(8)の第１の端部(9)から第２の端部(10)に向かって減少することを特徴とする、請求項３に記載のデバイス。
【請求項５】
前記光源(7)は、色を可変することができ、前記コントロールユニット(4)は、好ましくは、前記光源(7)の色の変化を制御するように構成されたことを特徴とする、請求項１から４のいずれか一項に記載のデバイス。
【請求項６】
前記コントロールユニット(4)は、流れ方向により前記光源(7)の色を変更するように構成されていることを特徴とする、請求項５に記載のデバイス。
【請求項７】
前記コントロールユニット(4)は、吐出量により前記光源(7)を脈動させるか、又は点滅させるように構成されたことを特徴とする、請求項１から６のいずれか一項に記載のデバイス。
【請求項８】
前記ポンプユニット(2)は、前記ポンプユニット(2)の動作パラメータ及び／又はポンプで吸引される流体の特性を監視するための１つ以上のセンサー(15)を有し、前記コントロールユニット(4)は、好ましくは、前記光源(7)により単一のセンサー又は複数のセンサー(15)からの測定値を表示するように構成された、請求項１から７のいずれか一項に記載のデバイス。
【請求項９】
前記光ファイバー(8)は、前記ポンプチューブ(5)の外側に設けられ、前記光ファイバー(8)は、好ましくは、前記ポンプチューブ(5)上に接着接合され若しくは前記ポンプチューブ(5)と同時に押出し成形され、又は前記ポンプチューブ(5)は、マルチルーメンチューブであり、前記光ファイバー(8)が前記マルチルーメンチューブの室を通して案内され若しくは前記マルチルーメンチューブと同時に押出し成形されることを特徴とする、請求項１から８のいずれか一項に記載のデバイス。
【請求項１０】
前記作動可能な光源(7)は、前記ポンプチューブ(5)に設けられ、好ましくは、前記ポンプチューブ(5)の自由端(6)に設けられ、そして前記光ファイバー(8)の代わりの前記ポンプチューブ(5)に沿って延びる電線により前記ポンプユニット(2)のコントロールユニット(4)に接続されたことを特徴とする、請求項１から９のいずれか一項に記載のデバイス。
【請求項１１】
ポンプデバイス(1)及び内視鏡(20)を備えた設備であって、
請求項１から１０のいずれか一項に記載のポンプデバイスと、一つに纏められた内視鏡(20)とは、手術領域にリンス液を供給するように構成されており、前記ポンプチューブ(5)の自由端(6)は、リンス液を供給するために前記内視鏡(20)に接続されていることを特徴とする、設備。
【手続補正２】
【補正対象書類名】明細書
【補正対象項目名】０００６
【補正方法】変更
【補正の内容】
【０００６】
この目的は、主請求項に従ったポンプデバイスにより、及び請求項１１に従った設備により達成される。有利な開発は、従属クレームの主題である。
【手続補正３】
【補正対象書類名】明細書
【補正対象項目名】００３８
【補正方法】変更
【補正の内容】
【００３８】
この距離の結果、ほぼ同じ光の量がチューブ５の単位長さ当たりで出射される可能性がある。ここで、当業者は、すべてのフォルト１１で実質的に同じ強度を得るために、２つの隣接したフォルト１１の間における必要な個々の距離を容易に適切に選択することができる。光ファイバー８の第２の端部１０は、図２に係る実施例においては自由端であり、したがって、それは光の点として執刀医に同様に認識可能である。
【手続補正書】
【提出日】平成30年1月17日(2018.1.17)
【手続補正１】
【補正対象書類名】明細書
【補正対象項目名】００３２
【補正方法】変更
【補正の内容】
【００３２】
伝動部材８はレバー７の移動を可動クランプ部材３に伝達するように適合されている。ここでは、伝動部材８は、  
−  第１の端部で軸８１の周りに回動するようにレバー７に取り付けられた第１の連接部品８０であって、さらに第２の端部で軸８２の周りに回動するように第２の連接部品８３に連結された第１の連接部品８０を備え、  
−  第２の連接部品８３は、軸８２の周りに回動するように第１の連接部品８０に連結された第１の端部と、可動クランプ部材３の腕３２に沿って設けられた受け溝（図示せず）内に摺動自在に取り付けられたスライダ８４を形成する第２の端部と、を有する。
【手続補正２】
【補正対象書類名】明細書
【補正対象項目名】００３８
【補正方法】変更
【補正の内容】
【００３８】
レバー７が、その引込み位置からその突出位置までの第２の向き（第１の向きと反対）に回動するときは、上述の運動は反対になる。
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
パッケージ（３）の注ぎ口（４）にオープニングデバイス（２）の蓋（１００）を取り付けるための取り付けユニットであって、
前記取り付けユニットは、経路（Ｑ）に沿って前記パッケージ（３）を前進させる運搬デバイス（８）と、前記パッケージ（３）が前記運搬デバイス（８）によって前進する間に前記注ぎ口（４）に前記蓋（１００）を取り付けるよう構成された複数の取り付けデバイス（４０）と、複数の移送構造（１９）と、を備えており、
前記移送構造（１９）の各々は、対応する取り付けデバイス（４０）を支持し、
前記複数の移送構造（１９）は、トラック構造（２０）に沿って移動可能であり、
前記運搬デバイス（８）は前記トラック構造（２０）と整列され、
前記複数の移送構造（１９）は、前記トラック構造（２０）に沿って自動で作動し、かつ、前記トラック構造（２０）に沿ってそれぞれ独立して動作可能であることを特徴とする、取り付けユニット。
【請求項２】
前記注ぎ口（４）のポジションに関連する信号を生成するよう構成されたセンサ（１７）と、
使用時に前記信号を受け取るようにかつ使用時に前記移送構造（１９）の運動を制御するように構成された電子制御ユニット（２１）と、
をさらに備えることを特徴とする請求項１に記載の取り付けユニット。
【請求項３】
前記トラック構造（２０）は、複数の個別励磁形ソレノイドを収容し、かつ前記移送構造（１９）は、前記ソレノイドを個別に制御することによって前記トラック構造（２０）に沿って独立して移動可能な磁石を収容すること、あるいは、
前記トラック構造（２０）は磁石を収容し、かつ前記移送構造（１９）は複数の個別励磁形ソレノイドを収容し、前記個別励磁形ソレノイドは、前記ソレノイドを個別に制御することによって前記トラック構造（２０）に沿って独立して移動可能であることを特徴とする請求項１または請求項２に記載の取り付けユニット。
【請求項４】
前記トラック構造（２０）は、直線的なトラック構造（２０）であり、
前記移送構造（１９）は前記トラック構造（２０）に沿って往復移動することを特徴とする請求項１から請求項３のいずれか一項に記載の取り付けユニット。
【請求項５】
前記トラック構造（２０）は、ループ形状のトラック構造であることを特徴とする請求項１から請求項３のいずれか一項に記載の取り付けユニット。
【請求項６】
前記移送構造（１９）は、前記取り付けデバイス（４０）が前記運搬デバイス（８）へ向けてかつ前記運搬デバイス（８）から離れるように移動可能であるように、前記取り付けデバイス（４０）を支持することを特徴とする請求項５に記載の取り付けユニット。
【請求項７】
前記移送構造（１９）は、前記取り付けデバイス（４０）がそれらの個々の軸線（Ａ）を中心として回転可能な様式で、前記取り付けデバイス（４０）を支持することを特徴とする請求項６に記載の取り付けユニット。
【請求項８】
前記トラック構造（２０）は、第１のトラック（２３ａ）および第２のトラック（２３ｂ）を備えており、
前記移送構造（１９）の各々は、前記第１のトラック（２３ａ）に沿って移動可能な第１のカート（２５ａ）と、前記第２のトラック（２３ｂ）に沿って移動可能な第２のカート（２５ｂ）と、を備えることを特徴とする請求項１から請求項７のいずれか一項に記載の取り付けユニット。
【請求項９】
前記トラック構造（２０）に沿って前記移送構造（１９）を案内するためのガイドデバイス（２６）をさらに備えており、
前記ガイドデバイス（２６）は、バー構造（２７）と、複数のスライド構造（２８）と、を備えており、
前記スライド構造（２８）の各々は、対応する移送構造（１９）に接続されており、かつ前記バー構造（２７）上を移動可能であることを特徴とする請求項１から請求項８のいずれか一項に記載の取り付けユニット。
【請求項１０】
前記バー構造（２７）は、第１のバー（２９ａ）および第２のバー（２９ｂ）を備えており、かつ、前記スライド構造（２８）の各々は、前記第１のバー（２９ａ）に沿って移動可能な第１のスライド（３０ａ）と、前記第２のバー（２９ｂ）に沿って移動可能な第２のスライド（３０ｂ）と、を備えることを特徴とする請求項９に記載の取り付けユニット。
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
アレルギー性疾患の予防および／または治療に用いられる、ＶａｃＡタンパク質、その断片または変異形から選択されるポリペプチドを含んでなる、医薬組成物。
【請求項２】
前記ＶａｃＡタンパク質が、配列番号１、２、４、５、６、７、８、９、１０および１１から選択されるアミノ酸配列を含んでなるＶａｃＡタンパク質である、請求項１に記載の医薬組成物。
【請求項３】
前記ポリペプチドが、Ｈ．ピロリ菌の死細胞抽出物の形である、請求項１または２に記載の医薬組成物。
【請求項４】
Ｈ．ピロリ菌株が、ＡＴＣＣ４９５０３／６０１９０であり、前記ＶａｃＡタンパク質、その断片または変異形が、免疫原性成分、特にその他のＨ．ピロリ抗原成分を本質的に含まないものである、請求項３に記載の医薬組成物。
【請求項５】
ＶａｃＡが、未変性のＨ．ピロリ菌死細胞由来の抽出物から精製されたものであり、前記ＶａｃＡタンパク質、その断片または変異形が、免疫原性成分、特にその他のＨ．ピロリ抗原成分を本質的に含まないものである、請求項１〜４のいずれか一項に記載の医薬組成物。
【請求項６】
前記Ｈ．ピロリ菌の死細胞抽出物が、
（ｉ）生菌細胞の培養物を回収し、
（ｉｉ）当該回収した細菌を、水中または塩の水溶液中での、数回の凍結／融解サイクルに付し、
（ｉｉｉ）前記細菌細胞を高圧下で破砕し、
（ｉｖ）細胞抽出物を収集すること
を含んでなる方法によって得ることのできる、請求項２〜４のいずれか一項に記載の医薬組成物。
【請求項７】
ＶａｃＡが組換えＶａｃＡである、請求項１または２に記載の医薬組成物。
【請求項８】
アレルゲンに対する寛容化応答の誘導に用いられる、ＶａｃＡタンパク質、その断片もしくは変異形から選択されるポリペプチドを含んでなる、医薬組成物。
【請求項９】
ＶａｃＡタンパク質、その断片または変異形から選択される前記ポリペプチドが、いかなる免疫原性成分も本質的に含まない形として投与される、請求項１〜８のいずれか一項に記載の医薬組成物。
【請求項１０】
前記アレルギー性疾患がアトピー性喘息である、請求項１〜９のいずれか一項に記載の医薬組成物。
【請求項１１】
前記アレルギー性疾患が食物アレルギーである、請求項１〜９のいずれか一項に記載の医薬組成物。
【請求項１２】
前記組成物が、経口、鼻腔内、非経口、肺内または全身性の経路によって投与される、請求項１〜１１のいずれか一項に記載の医薬組成物。
【請求項１３】
ＶａｃＡタンパク質、その断片または変異形、および少なくとも１つの薬剤的に許容される担体、希釈剤または賦形剤を含んでなり、ここで前記ＶａｃＡタンパク質、その断片または変異形が、免疫原性成分、特にその他のＨ．ピロリ抗原成分を本質的に含まないものである、寛容原性医薬製剤。
【請求項１４】
前記ＶａｃＡタンパク質、その断片または変異形が、アレルギー性疾患またはアレルギー性の応答の予防および／または治療、またはアレルゲンに対する寛容化応答の誘導に有用な少なくとも１つの共薬剤と組み合わされてなる、請求項１３に記載の医薬製剤。
【請求項１５】
経口用の医薬組成物である、請求項１３または１４に記載の組成物。
【請求項１６】
アレルゲン、特に少なくとも１つの食物アレルゲンをさらに含む、請求項１３〜１５のいずれか一項に記載の組成物。
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
ポリエチレンテレフタレート（ＰＥＴ）を含む、透明な第１の外層と、
ＰＥＴ、並びにピグメントイエロー１４７、ピグメントレッド１７７、ピグメントブルー６０、ピグメントブラック３１、ピグメントレッド１４９、及びピグメントレッド１２２から選択される１つ以上の染料を含む染色コア層と、
ＰＥＴを含む透明な第２の外層と、
を含む、光学的に透明な窓用フィルムであって、
前記染料は、前記コア層の溶融ＰＥＴに可溶性であり、
前記窓用フィルムは、２９５ｎｍ〜３８５ｎｍのバンド及び時間で積算した、合計が３００ＭＪ／ｍ２を超える照射の後で耐退色性である、
窓用フィルム。
【請求項２】
窓用フィルムが、２９５ｎｍ〜３８５ｎｍのバンド及び時間で積算した、合計が３００ＭＪ／ｍ２を超える照射の後で、６未満のΔＥａｂ＊値を有する、請求項１に記載の窓用フィルム。
【請求項３】
前記窓用フィルムのΔＶＬＴが、２９５ｎｍ〜３８５ｎｍのバンド及び時間で積算した、合計が３００ＭＪ／ｍ２を超える照射の後で５未満である、請求項１又は２に記載の窓用フィルム。
【請求項４】
前記第１の外層、前記コア層、及び前記第２の外層が共押出されている、請求項１〜３のいずれか一項に記載の窓用フィルム。
【請求項５】
溶融ポリエチレンテレフタレート（ＰＥＴ）をコア層に提供する工程と、
前記コア層の前記溶融ＰＥＴに１つ以上の染料を溶解させる工程と、
溶融ＰＥＴを第１の外層に提供する工程と、
溶融ＰＥＴを第２の外層に提供する工程と、
前記第１の外層の前記溶融ＰＥＴ、前記コア層の前記溶融ＰＥＴ、及び前記第２の外層の前記溶融ＰＥＴを共押出する工程と
を含む、染色窓用フィルムの製造方法であって、
前記１つ以上の染料は、ピグメントイエロー１４７、ピグメントレッド１７７、ピグメントブルー６０、ピグメントブラック３１、ピグメントレッド１４９、及びピグメントレッド１２２から選択される、製造方法。
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
製造時に部品を移送するアームエンドツーリングシステムであって、
前記アームエンドツーリングシステムを操作するためにロボットに結合された、非付着部分と少なくとも１つの接触面とを有する真空箱と、
前記真空箱に結合され密閉箱環境を作り出す真空蓋と、
前記部品を選択的にピックアップして投下させる真空及び／又は空気放出装置と、
下側予備成形ツーリングシステムと、を備え、
下側予備成形ツーリングシステムは、
第２の部分と、下側予備成形ツールとを有し、前記部品を受け入れる下側薄膜取り付けフレームと、
前記下側予備成形ツール上に形成され、前記真空箱の前記接触面と相補的な輪郭を有する少なくとも１つの第２の接触面と、を有している、
ことを特徴とするアームエンドツーリングシステム。
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
包装材料（２）でベールを包装するように構成され、時計回り方向又は反時計回り方向に回転可能な包装ユニット（３）を備え、
前記包装ユニット（３）は、ベールの周囲を反時計回り方向に回転することによりベールの一部を包装し、前記ベールの周囲を時計回り方向に回転することにより、前記ベールの他の部分を包装するように構成されていることを特徴とする包装装置（１）。
【請求項２】
前記ベールの周囲で包装ユニット（３）が回転している間、包装材料（２）をガイドするように構成されたガイド手段を備えることを特徴とする請求項１に記載の包装装置（１）。
【請求項３】
前記ガイド手段は、包装材料（２）をガイドする１以上のガイドローラ（６）を備えることを特徴とする請求項２に記載の包装装置（１）。
【請求項４】
前記包装ユニット（３）の回転軸は、使用時、包装すべきベールの中心線と合致していることを特徴とする前記請求項のいずれか１項に記載の包装装置（１）。
【請求項５】
前記包装ユニット（３）は、少なくとも開始位置（ＳＰ）と払出位置（ＡＰ）の間を反時計回り方向に回転可能であり、払出位置（ＡＰ）と終端位置（ＥＰ）の間を時計回り方向に回転可能であることを特徴とする前記請求項のいずれか１項に記載の包装装置（１）。
【請求項６】
前記包装ユニット（３）は、終端位置（ＥＰ）と切断位置（ＣＰ）の間を移動可能であることを特徴とする請求項５に記載の包装装置（１）。
【請求項７】
前記包装ユニット（３）は、開始位置と払出位置の間を回転している間、包装材料（２）を搬送する１以上の把持要素を備えることを特徴とする請求項５又は６に記載の包装装置（１）。
【請求項８】
さらに、前記払出位置で包装材料（２）を把持し、ベールの一部を包装するために包装ユニット（３）の終端位置（ＥＰ）に向かって直線的に移動可能な搬送部（４）を備えることを特徴とする請求項５から７のいずれか１項に記載の包装装置（１）。
【請求項９】
包装材料のロールを保持するように構成された回転可能なロールホルダ（５）を備え、前記ロールホルダ（５）は、ベールを包装している間、包装材料（２）に張力を付与し続けるように構成されていることを特徴とする前記請求項のいずれか１項に記載の包装装置（１）。
【請求項１０】
前記包装ユニット（３）は包装材料（２）を切断するための切断装置（７）を備えることを特徴とする前記請求項のいずれか１項に記載の包装装置（１）。
【請求項１１】
前記包装材料（２）は、ポリプロピレン又はポリエチレンで構成されたテープ状の織物であることを特徴とする前記請求項のいずれか１項に記載の包装装置（１）。
【請求項１２】
連続してベールを形成するように構成され、ベールを圧縮するための圧縮部（９）と、形成されたベールを包装するための包装装置（１）とを備えたベール圧縮装置（８）であって、
前記包装装置（１）は前記請求項１から１１のいずれか１項に記載された構成であることを特徴とするベール圧縮装置（８）。
【請求項１３】
縛り材料を使用して包装されたベールを縛るように構成された縛り装置（１０）を備えることを特徴とする請求項１２に記載のベール圧縮装置（８）。
【請求項１４】
前記圧縮部（９）は、包装材料（２）を一時的に包装ユニット（３）の終端位置（ＥＰ）でベールを圧縮し続けるように構成される圧縮手段（１１）を備えることを特徴とする請求項１２又は１３に記載のベール圧縮装置（８）。
【請求項１５】
ベール（１２）の下面を覆うために圧縮部（９）に包装材料の下シートを供給するステップと、
前記ベール（１２）の上面を覆うために圧縮部に包装材料の上シートを供給するステップと、
前記圧縮部（９）でベール（１２）を形成するステップと、
前記ベールの周囲で、包装ユニットを、反時計回り方向に回転させることにより、ベールの側面（Ａ，Ｂ，Ｃ，Ｄ）の少なくとも３つの側面を包装し、前記ベールの周囲で、包装ユニットを、時計回り方向に回転させることにより前記側面の残る部分を包装するステップと、
を備えたことを特徴とする請求項１２から１４のいずれか１項に記載のベール圧縮装置（８）でベールを形成して包装するための方法。
【請求項１６】
第４側面（Ｄ）の少なくとも一部は、回転可能な包装ユニット（３）の終端位置（ＥＰ）の方向に向かう、排出位置（ＡＰ）の搬送部（４）の直線的な移動によって包装されることを特徴とする請求項１５に記載の方法。
【誤訳訂正書】
【提出日】平成30年2月15日(2018.2.15)
【誤訳訂正１】
【訂正対象書類名】特許請求の範囲
【訂正対象項目名】請求項１６
【訂正方法】変更
【訂正の内容】
【請求項１６】
第11項において、
Xは塩素、フッ素、ヨウ素、臭素、メトキシ又はHであり; 
nは1-4の整数であり;
R1とR2は、それぞれ独立して、メチル、エチル、及びイソプロピルからなる群から選択されるか、R1とR2が炭素原子と一緒に結合してシクロペンチル又はシクロヘキシル輪を形成し; 
R3とR4は、それぞれ独立してH、メチル、エチル、及びイソプロピルからなる群から選択され; 
１とmはそれぞれ独立して0、1、又は2の整数である薬学的組成物 。
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
複数のハニカムセルを画定する表面を有する複数の相互連結した壁を含んでなるハニカムであって、前記セル壁が、マトリックス樹脂でコーティングされた金属箔であり、前記樹脂が、樹脂および箔の全質量の少なくとも２０質量パーセントを構成するハニカム。
【請求項２】
請求項１に記載の金属ハニカムコアと、前記コアの外部表面の少なくとも１つに付着された少なくとも１つのフェースシートとを含んでなる複合サンドイッチパネル。
【請求項３】
基板から製造される複数の折り畳まれた構成を含んでなる折り畳まれたコアであって、前記基板が、マトリックス樹脂でコーティングされた金属箔をさらに含んでなり、前記樹脂が、樹脂および箔の全質量の少なくとも２０質量パーセントを構成する、折り畳まれたコア。
【請求項４】
請求項３に記載の折り畳まれた金属コアと、前記コアの外部表面の少なくとも１つに付着された少なくとも１つのフェースシートとを含んでなる複合サンドイッチパネル。
【手続補正２】
【補正対象書類名】明細書
【補正対象項目名】００２３
【補正方法】変更
【補正の内容】
【００２３】
試験用サンドイッチパネルの電気抵抗は、非コーティングコアでは０．２オームであり、樹脂コーティングコアでは０．６オームであった。したがって、このことは、樹脂コーティング金属コアによってもたらされる導電率の低下（抵抗の増加）の更なる効果を示している。これは、金属コアと、金属または炭素フェースシートなどの導電性フェースシートとを含んでなるサンドイッチパネルにおける望ましくない電気腐食を低下させるのに魅力的な特徴である。
本発明のまた別の態様は、以下のとおりであってもよい。
〔１〕複数のハニカムセルを画定する表面を有する複数の相互連結した壁を含んでなるハニカムであって、前記セル壁が、マトリックス樹脂でコーティングされた金属箔であり、前記樹脂が、樹脂および箔の全質量の少なくとも２０質量パーセントを構成するハニカム。
〔２〕前記金属箔がアルミニウムまたはアルミニウム合金である、前記〔１〕に記載のハニカム。
〔３〕マトリックス樹脂コーティングが、フェノール樹脂、エポキシ、アクリル、ポリイミド、ポリベンゾオキサジン、ポリエーテルイミドまたはそれらの混合物である、前記〔１〕に記載のハニカム。
〔４〕マトリックス樹脂コーティングが、１マイクロメートル未満の主寸法を有する添加剤をさらに含んでなる、前記〔１〕に記載のハニカム。
〔５〕前記〔１〕に記載の金属ハニカムコアと、前記コアの外部表面の少なくとも１つに付着された少なくとも１つのフェースシートとを含んでなる複合サンドイッチパネル。
〔６〕前記フェースシートが、樹脂含浸繊維、プラスチックまたは金属を含んでなる、前記〔５〕に記載のパネル。
〔７〕基板から製造される複数の折り畳まれた構成を含んでなる折り畳まれたコアであって、前記基板が、マトリックス樹脂でコーティングされた金属箔をさらに含んでなり、前記樹脂が、樹脂および箔の全質量の少なくとも２０質量パーセントを構成する、折り畳まれたコア。
〔８〕前記〔７〕に記載の折り畳まれた金属コアと、前記コアの外部表面の少なくとも１つに付着された少なくとも１つのフェースシートとを含んでなる複合サンドイッチパネル。
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
Ｂ細胞悪性腫瘍の治療におけるイブルチニブと抗癌剤を含む組み合わせの使用であって、ここで前記抗癌剤が、ＭＡＬＴ１、ＭＣＬ−１、またはＩＤＨ１を阻害する、使用。
【請求項２】
イブルチニブ耐性のＢ細胞悪性腫瘍の治療におけるイブルチニブと抗癌剤を含む組み合わせの使用であって、ここで前記抗癌剤が、ＭＡＬＴ１、ＭＣＬ−１、またはＩＤＨ１を阻害する、使用。
【請求項３】
前記組み合わせが、前記イブルチニブまたは前記抗癌剤の単独の投与と比較して相乗作用的な治療効果を提供する、請求項１に記載の使用。
【請求項４】
前記組み合わせが、Ｂ細胞悪性腫瘍を前記イブルチニブに対して感作性にする、請求項１に記載の使用。
【請求項５】
前記抗癌剤が、ＭＡＬＴ１を阻害する、請求項１に記載の使用。
【請求項６】
ＭＡＬＴ１を阻害する前記抗癌剤が、ＭＩ−２、メパジン、チオリダジン、又はプロマジンを含む、請求項５に記載の使用。
【請求項７】
前記抗癌剤が、ＭＣＬ−１を阻害する、請求項１に記載の使用。
【請求項８】
ＭＣＬ−１を阻害する前記抗癌剤が、ＢＩ９７Ｃ１０、ＢＩ１１２Ｄ１、ゴシポール、オバトクラックス、ＭＧ−１３２、ＭＩＭ１、サブトクラックス、又はＴＷ−３７を含む、請求項７に記載の使用。
【請求項９】
前記抗癌剤が、ＩＤＨ１を阻害する、請求項１に記載の使用。
【請求項１０】
ＩＤＨ１を阻害する前記抗癌剤が、ＡＧＩ−５１９８、ＡＧ−１２０、ＩＤＨ−Ｃ２２７、又はＭＬ３０９を含む、請求項９に記載の使用。
【請求項１１】
前記Ｂ細胞悪性腫瘍が、急性リンパ芽球性白血病（ＡＬＬ）、急性骨髄性白血病（ＡＭＬ）、慢性骨髄性白血病（ＣＭＬ）、急性単球性白血病（ＡＭｏＬ）、慢性リンパ性白血病（ＣＬＬ）、小リンパ球性リンパ腫（ＳＬＬ）、高リスク小リンパ球性リンパ腫（ＳＬＬ）、濾胞性リンパ腫（ＦＬ）、びまん性大細胞型Ｂ細胞リンパ腫（ＤＬＢＣＬ）、マントル細胞リンパ腫（ＭＣＬ）、ヴァルデンストレームマクログロブリン血症、多発性骨髄腫、節外性辺縁帯Ｂ細胞リンパ腫、節性辺縁帯Ｂ細胞リンパ腫、バーキットリンパ腫、非バーキット高悪性度Ｂ細胞リンパ腫、原発性縦隔Ｂ細胞リンパ腫（ＰＭＢＬ）、免疫芽球性大細胞リンパ腫、前駆Ｂリンパ芽球性リンパ腫、Ｂ細胞前リンパ球性白血病、リンパ形質細胞リンパ腫、脾性辺縁帯リンパ腫、形質細胞性骨髄腫、形質細胞腫、縦隔（胸腺）大細胞型Ｂ細胞リンパ腫、血管内大細胞型Ｂ細胞リンパ腫、原発性滲出性リンパ腫、またはリンパ腫様肉芽腫症である、請求項１に記載の使用。
【請求項１２】
前記Ｂ細胞悪性腫瘍が、びまん性大細胞型Ｂ細胞リンパ腫（ＤＬＢＣＬ）である、請求項１１に記載の使用。
【請求項１３】
前記ＤＬＢＣＬが、活性化されたＢ細胞びまん性大細胞型Ｂ細胞リンパ腫（ＡＢＣ−ＤＬＢＣＬ）である、請求項１２に記載の使用。
【請求項１４】
前記使用がさらに、第三の治療剤を投与することを包含する、請求項１に記載の使用。
【請求項１５】
前記第三の治療剤が、化学療法剤または放射線治療剤の中から選択される、請求項１４に記載の使用。
【請求項１６】
前記化学療法剤が、クロラムブシル、イホスファミド、ドキソルビシン、メサラジン、サリドマイド、レナリドミド、テムシロリムス、エベロリムス、フルダラビン、ホスタマチニブ、パクリタキセル、ドセタキセル、オファツムマブ、リツキシマブ、デキサメタゾン、プレドニゾン、ＣＡＬ−１０１、イブリツモマブ、トシツモマブ、ボルテゾミブ、ペントスタチン、エンドスタチン、またはそれらの組み合わせの中から選択される、請求項１５に記載の使用。
【請求項１７】
薬学的組み合わせであって：
ａ）イブルチニブと；
ｂ）ＭＡＬＴ１、ＭＣＬ−１、ＩＤＨ１、またはプロテアソームを阻害する抗癌剤と；
ｃ）薬学的に許容される賦形剤と、
を含む、薬学的組み合わせ。
【請求項１８】
Ｂ細胞悪性腫瘍の治療におけるイブルチニブとＰＩＭ阻害薬を含む組み合わせの使用。
【請求項１９】
前記組み合わせが、前記イブルチニブまたは前記ＰＩＭ阻害薬の単独の投与と比較して相乗作用的効果を提供する、請求項１８に記載の使用。
【請求項２０】
前記組み合わせが、前記Ｂ細胞悪性腫瘍を前記イブルチニブに対して感作性にする、請求項１９に記載の使用。
【請求項２１】
前記ＰＩＭ阻害薬が、ミトキサントロン、ＳＧＩ−１７７６、ＡＺＤ１２０８、ＡＺＤ１８９７、ＬＧＨ４４７、ＪＰ＿１１６４６、Ｐｉｍ１阻害薬２、ＳＫＩ−Ｏ−０６８、ＣＸ−６２５８、ＡＲ４６０７７０、ＡＲ００４５９３３９（Ａｒｒａｙ  Ｂｉｏｐｈａｒｍａ  Ｉｎｃ．）、ｍｉＲ−３３ａ、Ｐｉｍ−１阻害性ｐ２７（Ｋｉｐ１）ペプチド、ＬＹ３３３’５３１、Ｋ００１３５、クェルセタゲイン（ｑｕｅｒｃｅｔａｇｅｉｎ）（３，３’，４’，５，６，７−ヒドロキシフラボン）、またはＬＹ２９４００２を含む、請求項１８に記載の使用。
【請求項２２】
前記ＰＩＭ阻害薬がＡＺＤ１２０８である、請求項１８に記載の方法。
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
パルミチン酸、オレイン酸、ステアリン酸、リノール酸、α−リノレン酸、γ−リノレン酸、エイコサペンタエン酸（ＥＰＡ）、ドコサヘキサエン酸（ＤＨＡ）、アゼライン酸およびミリスチン酸から選択される２種までの脂肪酸と、パルミトイルエタノールアミドとを含有することを特徴とする混合物。
【請求項２】
前記２種までの脂肪酸の少なくとも一方は飽和であることを特徴とする請求項１に記載の混合物。
【請求項３】
１種の脂肪酸と、パルミトイルエタノールアミドとを含むことを特徴とする請求項１または２に記載の混合物。
【請求項４】
２種の脂肪酸と、パルミトイルエタノールアミドとを含むことを特徴とする請求項１または２に記載の混合物。
【請求項５】
前記脂肪酸は、混合物の総重量の１５％と５５％との間に含まれる質量で前記混合物中に存在することを特徴とする請求項３に記載の混合物。
【請求項６】
前記パルミトイルエタノールアミドは、混合物の総重量の４５％と８５％との間に含まれる質量で前記混合物中に存在することを特徴とする請求項３に記載の混合物。
【請求項７】
前記２種の脂肪酸は、０．２５と２．３３との間に含まれる、互いに対する質量比で前記混合物中に存在することを特徴とする請求項４に記載の混合物。
【請求項８】
前記２種の脂肪酸は、０．２５と１．５との間に含まれる、パルミトイルエタノールアミドに対する質量比で前記混合物中に存在することを特徴とする請求項４に記載の混合物。
【請求項９】
前記パルミトイルエタノールアミドは、混合物の総重量の２５％と７０％との間に含まれる質量で前記混合物中に存在することを特徴とする請求項４に記載の混合物。
【請求項１０】
前記２種の脂肪酸は、混合物の総重量の３０％と７５％との間に含まれる質量で前記混合物中に存在することを特徴とする請求項４に記載の混合物。
【請求項１１】
請求項１から１０のいずれかに記載の混合物と、少なくとも１種の薬学的に許容可能な賦形剤とを含むことを特徴とする組成物。
【請求項１２】
経口形態、局所形態、経直腸形態、経膣形態、経眼形態、または非経口形態に製剤されていることを特徴とする請求項１１に記載の組成物。
【請求項１３】
前記経口形態は、錠剤、カプセル、顆粒、油状膠球剤、溶液、懸濁液、エアゾールから選択されることを特徴とする請求項１２に記載の組成物。
【請求項１４】
前記局所形態は、クリーム、軟膏、ゲル、膏薬、溶液、懸濁液、洗眼剤、噴霧剤、滴薬または粉末から選択されることを特徴とする請求項１２に記載の組成物。
【請求項１５】
前記非経口形態は、水緩衝溶液または油性懸濁液であることを特徴とする請求項１２に記載の組成物。
【請求項１６】
前記経直腸形態は、座剤、クリーム、または浣腸であることを特徴とする請求項１２に記載の組成物。
【請求項１７】
前記経膣形態は、ペッサリー、クリーム、または膣灌水器であり、あるいはカニューレにより投与されることを特徴とする請求項１２に記載の組成物。
【請求項１８】
前記経眼形態は、洗眼剤、クリーム、または浴であることを特徴とする請求項１２に記載の組成物。
【請求項１９】
請求項１から１０のいずれかに記載の混合物が、組成物の総重量に基づいて、１５％と７０％との間に含まれる重量で前記組成物中に存在することを特徴とする請求項１１から１８のいずれかに記載の組成物。
【請求項２０】
炎症性およびアレルギー性病変の治療に使用するための、請求項１から１０のいずれかに記載の混合物。
【請求項２１】
炎症性およびアレルギー性病変の治療に使用するための、請求項１１から１９のいずれかに記載の組成物。
【請求項２２】
少なくとも４週間にわたって、１日当たり１回から４回で毎日投与され、前記投与量は、患者の体重１ｋｇ当たり０．１〜５０ｍｇの組成物であることを特徴とする請求項１１に記載の組成物。
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
硬化可能なコーティング組成物を含む白色熱制御塗料であって、前記硬化可能なコーティング組成物が、
（ａ）ケイ酸塩と、
（ｂ）リン酸カルシウム、リン酸マグネシウムまたはリン酸ナトリウムと、
（ｃ）金属酸化物と、を含み、
前記白色熱制御塗料は、硬化されるとき、５００℃までの温度で非熱変色性である、白色熱制御塗料。
【請求項２】
前記硬化可能なコーティング組成物がリン酸カルシウムを含む、請求項１に記載の白色熱制御塗料。
【請求項３】
前記リン酸カルシウムは、リン酸三カルシウム、リン酸四カルシウム、ヒドロキシアパタイト若しくはその誘導体、またはその組み合わせを含む、請求項２に記載の白色熱制御塗料。
【請求項４】
前記リン酸カルシウムは、α−リン酸三カルシウムα−ＴＣＰ及びβ−リン酸三カルシウムβ−ＴＣＰ、またはその組み合わせから選択されるリン酸三カルシウムである、請求項３に記載の白色熱制御塗料。
【請求項５】
前記リン酸カルシウムは、β−ＴＣＰである、請求項４に記載の白色熱制御塗料。
【請求項６】
前記リン酸カルシウムは、前記硬化可能なコーティング組成物の重量の約５％〜約４０％、任意に約８％〜約２０％、よりさらに任意に約１０％〜約１５％、よりさらに任意に約１０％〜約１２．５％、よりさらに任意に約１０％、約１１％、約１２％、または約１２．５％の量で前記硬化可能なコーティング組成物内に存在する、請求項２〜５のいずれかに記載の白色熱制御塗料。
【請求項７】
前記リン酸カルシウムは、約０．１×１０−６ｍ〜約５×１０−６ｍの範囲内の粒子サイズを有する、請求項２〜６のいずれかに記載の白色熱制御塗料。
【請求項８】
前記リン酸カルシウムは、約０．１×１０−６ｍ〜約１．０×１０−６ｍの範囲内の粒子サイズを有する、請求項７に記載の白色熱制御塗料。
【請求項９】
前記リン酸カルシウムは、約０．２×１０−６ｍ〜約０．５×１０−６ｍの範囲内の粒子サイズを有する、請求項８に記載の白色熱制御塗料。
【請求項１０】
前記金属酸化物は、酸化マグネシウム、酸化アルミニウム（ＩＩＩ）、酸化スカンジウム（ＩＩＩ）、酸化イットリウム（ＩＩＩ）、または酸化ジルコニウムを含む、請求項１〜９のいずれかに記載の白色熱制御塗料。
【請求項１１】
前記金属酸化物は、酸化スカンジウム（ＩＩＩ）、酸化イットリウム（ＩＩＩ）、または酸化ジルコニウムを含む、請求項１０に記載の白色熱制御塗料。
【請求項１２】
前記金属酸化物は、酸化スカンジウム（ＩＩＩ）または酸化イットリウム（ＩＩＩ）を含む、請求項１１に記載の白色熱制御塗料。
【請求項１３】
前記金属酸化物は、酸化イットリウム（ＩＩＩ）を含む、請求項１２に記載の白色熱制御塗料。
【請求項１４】
請求項１〜１３のいずれかに記載の白色熱制御塗料の、宇宙機及びその部品に適用する非熱変色性熱制御コーティング組成物としての使用。
【請求項１５】
宇宙機またはその部品の表面を処理する方法であって、請求項１〜１３のいずれかに記載の白色熱制御塗料を前記表面に適用するステップと、前記硬化可能なコーティング組成物を硬化させるステップと、を含む、方法。